(57)【特許請求の範囲】
【請求項１】
湾曲可能な平板から成形され且つ履物内部に挿入される履物用保形具であって、
（ｉ）履物の前部を保形する前部保形部と、（ｉｉ）履物の履き口部を保形する履き口保形部と、（ｉｉｉ）かかと内壁面に当設するかかと保形部とを備え、
（ｉ）前部保形部には、幅方向に横断する直線状の谷折線と、
当該谷折線よりも後方側には、幅方向に横断し且つ後方に向けて突型に湾曲する山折線と、
前記谷折線を起点とし、つま先側に向けて縦断する、少なくとも２本の直線状の山折線とが設けられており、
（ｉｉ）履き口保形部は、前記前部保形部との境界付近に、縦方向の中心線に対称に一対の基点と、これら基点間を繋ぐ山折線とを有し、
それぞれの基点から横側縁まで該中心線に対称な２対の直線状の折り目を設け、このうち前方側の一対の折り目を山折線、後方側の一対の折り目を谷折線とし、さらに、
それぞれの基点から、前記かかと保形部との境界付近まで縦断する一対の山折線が設けられており、
（ｉｉｉ）かかと保形部は、前記履き口保形部と、幅方向に横断する直線状の山折線を介して連接され、当該山折線の両側には、切込み線が設けられ、
組み立てた際に、かかと保形部（ｉｉｉ）の縦方向の長さが、履き口保形部（ｉｉ）の側面の縦方向の長さ以上であって、前記履き口保形部（ｉｉ）の下端及び前記かかと保形部（ｉｉｉ）の後端が、履物の中底面に付かないことを特徴とする履物用保形具。
【請求項２】
前記一対の基点に、孔を設けることを特徴とする請求項１に記載の履物用保形具。
【請求項３】
前記履き口保形部に設けられ、それぞれの基点から、前記かかと保形部との境界付近まで縦断する一対の山折線が、横側縁に向けて突型に湾曲することを特徴とする請求項１または２に記載の履物用保形具。
【請求項４】
前記かかと保形部の前記山折線を起点とし、後端側に向けて縦断する、一対の山折線を有することを特徴とする請求項１〜３のいずれか一項に記載の履物用保形具。
【請求項５】
前記かかと保形部（ｉｉｉ）の後端の形状が半楕円形状であることを特徴とする請求項１〜４のいずれか一項に記載の履物用保形具。
【発明の詳細な説明】
【技術分野】
【０００１】
本発明は、かかとがある履物の型崩れを抑制できる履物用保形具に関し、特に、保形具における履き口部（以下、これを「履き口保形部」とも言う）の強度が高く、履物の中敷・中底に押し跡や傷が残らない、保形性に優れた履物用保形具に関する。
【背景技術】
【０００２】
従来、履物の形状を保形しておくための保形具として、ボール紙や合成樹脂製薄板などを立体的に折り曲げて成形する技術が多数知られている（例えば、特許文献１，２参照）。
しかし、これら特許文献に記載の保形具では、挿入時や挿入している間（例えば、保管時、運送時、ディスプレイ時など）に、履き口保形部の下端が、中敷（インナーソール）や中底（インソール）に接して、押し跡が付いたり、傷が発生しやすく、商品である履物自体の品質が低下してしまう問題があった。
【０００３】
上記のような問題を解決するために、本発明者は、先に、履き口保形部を履物の履き口周りに沿った形状とし、かかと内壁面に当接する下端部分は切除した保形具を提案している（特許文献３参照）。
しかし、この先提案の保形具は、かかとのない履物（サンダルなど）には非常に適しているものの、かかとのある靴を保形するには履き口保形部の強度が弱く、改善の余地があった。
【先行技術文献】
【特許文献】
【０００４】
【特許文献１】実開昭５９−５９１０６号公報
【特許文献２】実開昭６０−１２０６１０号公報
【特許文献３】特許第５４７９１３７号公報
【発明の概要】
【発明が解決しようとする課題】
【０００５】
本発明は、以上のような現状を考慮し、履き口保形部の強度が高く、かかとがある履物であっても型崩れを十分抑制でき、しかも、履物の中敷・中底（以下、これらを纏めて「中底面」と称することがある）に押し跡や傷が残らない、履物用保形具を提供することを課題とする。
【０００６】
本発明者は、上記の課題を解決するために検討を重ねた結果、
履物の履き口部を保形する履き口保形部を、履き口を縦断するように保持する山型の形状とし、さらに、
このような履き口保形部に、かかと内壁面に当接する“かかと保形部”を連接すれば、
当該履き口保形部の下端を、履物の中底面からほぼ浮いた状態とすることができ、履物の履き口の保形性を強めつつ、中底面に押し跡や傷が付くことのない履物用保形具が得られることを見出した。
【課題を解決するための手段】
【０００７】
すなわち、本発明は、
湾曲可能な平板から成形され且つ履物内部に挿入される履物用保形具であって、
（ｉ）履物の前部を保形する前部保形部と、（ｉｉ）履物の履き口部を保形する履き口保形部と、（ｉｉｉ）かかと内壁面に当設するかかと保形部とを備え、
（ｉ）前部保形部には、幅方向に横断する直線状の谷折線と、
当該谷折線よりも後方側には、幅方向に横断し且つ後方に向けて突型に湾曲する山折線と、
前記谷折線を起点とし、つま先側に向けて縦断する、少なくとも２本の直線状の山折線とが設けられており、
（ｉｉ）履き口保形部は、前記前部保形部との境界付近に、縦方向の中心線に対称に一対の基点と、これら基点間を繋ぐ山折線とを有し、
それぞれの基点から横側縁まで該中心線に対称な２対の直線状の折り目を設け、このうち前方側の一対の折り目を山折線、後方側の一対の折り目を谷折線とし、さらに、
それぞれの基点から、前記かかと保形部との境界付近まで縦断する一対の山折線が設けられており、
（ｉｉｉ）かかと保形部は、前記履き口保形部と、幅方向に横断する直線状の山折線を介して連接され、当該山折線の両側には、切込み線が設けられ、
組み立てた際に、かかと保形部（ｉｉｉ）の縦方向の長さが、履き口保形部（ｉｉ）の側面の縦方向の長さ以上であって、前記履き口保形部（ｉｉ）の下端及び前記かかと保形部（ｉｉｉ）の後端が、履物の中底面に付かないことを特徴とする。
このとき、（ｉｉ）履き口保形部における一対の基点に、孔を設けてもよいし、また、それぞれの基点から前記かかと保形部との境界付近まで縦断する一対の山折線を、横側縁に向けて突型に湾曲させてもよい。
さらに、（ｉｉｉ）かかと保形部における前記山折線（履き口保形部との境界線）を起点とし、後端側に向けて縦断する、一対の山折線を有することも可能である。
加えて、かかと保形部（ｉｉｉ）の後端の形状が半楕円形状であってもよい。
【発明の効果】
【０００８】
本発明の履物用保形具によれば、次のような効果を奏することができる。
（１）かかとのある履物であっても、履き口などの型崩れを確実に防止できるので、商品である履物自体の品質を良好に保持できる。
（２）保形具本体の組み立てが容易で、しかも、履物への挿入も行いやすいので、生産ラインでの作業性向上が期待できる。さらに、履き口保形部の一対の基点に孔を設ければ、折り曲げ時の基点の切れなどの破損を抑制できるうえ、組み立て作業もより一層容易となる。
（３）前部保形部は、足の甲の立体形状を忠実に再現しているので、履物の形状に合わせた保形の実現が可能である。
（４）保形具挿入時ないし挿入後、履物の中底面に押し跡や傷が付くことなく保形できる。
【図面の簡単な説明】
【０００９】
【図１】本発明の履物用保形具の一実施形態における、組み立てる前の状態を示す展開図である。
【図２】図１に示した履物用保形具を組み立てた状態を説明する図であり、（Ａ）が側面上方から見た図、（Ｂ）が正面上方から見た図である。
【図３】図１に示した履物用保形具を組み立てた状態を説明する図であり、（Ａ）が上面から見た図、（Ｂ）が背面上方から見た図である。
【図４】履物の内部で、図１に示した履物用保形具を使用した状態の説明図であり、（Ａ）が斜め前方から見た図、（Ｂ）が上方から見た図である。
【発明を実施するための形態】
【００１０】
本発明の履物用保形具は、湾曲可能な平板から成形され且つ履物内部に挿入される。
湾曲可能な平板としては、厚紙やプラスチックなど、可撓性がある材質であれば、特に制限されないが、例えば、厚さ０．５〜１．５ｍｍ程度のボール紙を型抜きしたものなどから成形すればよい。
また、挿入される履物の種類についても、特に制限はないが、履き口保形部の強度が高いことなどから、かかとがある靴（シューズ）、特に、ビジネスシューズ、スニーカー、運動靴、パンプスなどのトップラインがくるぶしより下にあるシューズなどに最適である。
【００１１】
図１は、本発明の履物用保形具の一実施形態における、組み立てる前の状態を示す展開図である。
本発明の履物用保形具１０は、図１に示すように、履物の前部を保形する前部保形部（ｉ）と、履物の履き口部を保形する履き口保形部（ｉｉ）と、かかと内壁面に当設するかかと保形部（ｉｉｉ）とを備えている。
図１中、山折線は、点線で、谷折線は、一点鎖線で、切込み線は二重線で示す。
【００１２】
前部保形部（ｉ）には、幅方向（履物の横幅方向、以下同じ。）に横断する直線状の谷折線２と、
谷折線２よりも後方（履物のかかとの方、以下同じ。）側には、幅方向に横断し且つ後方に向けて突型に湾曲する山折線３と、
谷折線２を起点とし、つま先側に向けて縦断する、少なくとも２本の直線状の山折線４，４とが設けられている。
【００１３】
前部保形部（ｉ）の先端（つま先側）の形状は、半楕円形状でも、方形状でも構わないが、図１に例示するように、半楕円形状の方が、履物への挿入が行いやすく、履物の内側に傷が付きにくいので好ましい。
【００１４】
本実施形態では、谷折線２や山折線３を折り曲げる際の目安と折り曲げの容易化を図るとともに、履物の内側に傷が付くのを防止するために、山折線３の両端側部分は、切除部５として部分的に切除しているが、この切除部５は必須のものではない。
なお、切除部５は、図１に示すように、外周縁部が丸みを帯びるように切除する方が、傷付き防止の点から、より好ましい。
また、谷折線２と山折線３は、折り曲げの容易化を図るために、例えば、ミシン目状などのスリット（切込み）を入れることもできるし、あるいは、谷折線２を、完全な直線とせず、左右の横側縁近傍がつま先側に向かうよう若干湾曲させてもよい。
【００１５】
図２は、図１に示した履物用保形具１０を組み立てた状態を説明する図であり、（Ａ）が側面上方から見た図、（Ｂ）が正面上方から見た図である。
前部保形部（ｉ）の谷折線２を谷折りに、山折線３を山折りに折り曲げることによって、図２（Ａ）に示すように、自然に前部保形部（ｉ）の先端が上方に突出するように湾曲すると同時に、前部保形部（ｉ）の後方側（すなわち、履き口保形部（ｉｉ）と連接している側）が、山折線３を境に、上向きに角度が付いた状態で組み立てられるので、足の甲部分の立体形状を忠実に再現でき、履物の前部の保形に最適な前部保形部（ｉ）が得られる。
【００１６】
このとき、山折線３の後方への湾曲度を調節する（曲率半径を大きく、または小さくする）ことで、前部保形部（ｉ）の後方側の折り曲げ角度を、履物の種類によって適宜設定することもできる。
また、谷折線２を谷折りに、山折線３を山折りに折り曲げた際に、山折線３が、足の骨格における趾骨と中足骨との境目付近に位置するように設けておけば、足の甲部分の立体形状をより忠実に再現しやすい。足の骨格は、一般に、趾骨と中足骨の境目付近で骨の太さが大きく変化し、足の高さが高くなっているからである。
【００１７】
さらに、このような前部保形部（ｉ）に、谷折線２を起点とし、つま先側に向けて縦断する、少なくとも２本の直線状の山折線４，４を設けることで、図２（Ｂ）に示すように、これら山折線４，４が、履物への挿入時に靴爪先部の形状に合わせて自然と山折りに折れ曲がり、谷折線２や山折線３の折り曲げの容易化が促進されるばかりか、保形具１０の履物への挿入もより一層容易となる。
なお、本実施形態では、２本の山折線４，４を、保形具１０の縦方向の中心線に対称に設けているが、上記効果の支障とならない範囲であれば、本数や設ける位置について、特に制限はない。
【００１８】
本発明の履物用保形具１０において、履き口保形部（ｉｉ）は、履物の履き口部を保形する。
この履き口保形部（ｉｉ）は、図１に示すように、前部保形部（ｉ）との境界付近に、縦方向の中心線に対称に一対の基点６，６と、これら基点６，６間を繋ぐ山折線８０とを有し、
それぞれの基点６，６から横側縁まで該中心線に対称な２対の直線状の折り目を設け、このうち前方（履物のつま先の方、以下同じ。）側の一対の折り目を山折線８１，８１、後方側の一対の折り目を谷折線８２，８２とし、さらに、
それぞれの基点６，６から、かかと保形部（ｉｉｉ）との境界付近まで縦断する一対の山折線７，７が設けられている。
【００１９】
一対の基点６，６には、孔を設けてもよい。孔の大きさとしては、保形具１０の大きさや厚みなどによるが、直径２〜８ｍｍ程度とすればよい。
このような孔を設けることで、折り曲げ時の基点の切れなどの破損を抑制でき、組み立て（山折線８１，８１や谷折線８２，８２、山折線７，７の折り曲げ）作業がより一層容易になる。
また、基点６，６間を繋ぐ山折線８０は、前方に向けて若干突型となるように湾曲させた方が、山折線８０が自然に折り曲がりやすく好ましい。
【００２０】
図３は、図１に示した履物用保形具１０を組み立てた状態を説明する図であり、（Ａ）が上面から見た図、（Ｂ）が背面上方から見た図である。
また、図４（Ａ），（Ｂ）に、履物１の内部で、図１に示した履物用保形具１０を組み立てた状態の一例を示す。図１〜４中の斜線部は、一対の山折線７，７の内側部分を示し、以下「背部７'」と称する。
【００２１】
履き口保形部（ｉｉ）の３対の折り目（すなわち、２対の山折線８１，８１と７，７、および、１対の谷折線８２，８２）を、それぞれ、山折線は山折りに、谷折線は谷折りに折り曲げることによって、図２（Ａ），図３（Ａ）などに示すように、履き口保形部（ｉｉ）が、山折線８０から前部保形部（ｉ）に対してやや下向きに自然に折り曲がると同時に、上記背部７'を天面とした山型が立体的に形成される。
本発明では、このように山型に組み立てられた履き口保形部（ｉｉ）によって、図４（Ａ）などに示すように、履物１の履き口Ｈが、背部７'が縦断するように保持されるので、履き口保形部の強度は飛躍的に向上し、かかとのある靴であっても型崩れを十分に抑制できる。
【００２２】
このとき、１対の谷折線８２，８２については、折り曲げの容易化を図るために、例えば、ミシン目状のスリット（切込み）を入れてもよいが、当該谷折線８２，８２を、完全な切込み線としてしまうと、履き口保形部の強度が保ちにくくなるので好ましくない。
また、一対の山折線７，７は、直線とせず、横側縁に向けて突型に湾曲させてもよい。湾曲させることで、背部７’の見栄えがよくなる。
【００２３】
本発明の履物用保形具１０において、かかと保形部（ｉｉｉ）は、履物１のかかと内壁面Ｋに当接する。
かかと保形部（ｉｉｉ）は、図１に示すように、履き口保形部（ｉｉ）と、幅方向に横断する直線状の山折線９を介して連接される。
このとき、山折線９を起点とし、後端側に向けて縦断する一対の直線状の山折線７９，７９を有することが好ましい。なお、山折線７９，７９は曲線状としてもよい。
【００２４】
かかと保形部（ｉｉｉ）の後端（かかと側）の形状は、履物の中底面との接触をできるだけ避けるためには、図１に例示するように、半楕円形状が好ましい。
また、一対の山折線７９，７９の間隔は、山折線９の長さと略同一に設ければよいが、図１に例示するように、後端側が若干幅広になるように設けることもできる。
【００２５】
かかと保形部（ｉｉｉ）の縦方向の長さとしては、履き口保形部（ｉｉ）の側面（山折線７，７の外側部分）の幅方向の長さ以上とすればよいが、組み立てた際に、かかと保形部（ｉｉｉ）の後端が、履物１の中底面に付かない程度とすることがより好ましい。
【００２６】
図４（Ｂ）に、図４（Ａ）の説明図を上方から見た状態を示す。
図２（Ａ），３（Ａ）（Ｂ）などに示すように、かかと保形部（ｉｉｉ）の山折線９をほぼ直角に折り曲げ、さらに、山折線７９，７９をそれら外側部分（図１〜３中の格子部７９'）が履き口保形部（ｉｉ）の後方部分を覆うように折り曲げることによって、図４（Ｂ）などに示すように、一対の山折線７９，７９の内側部分が、履物１のかかと内壁面Ｋに当接する結果、履き口保形部（ｉｉ）の下端（図１においては、横側縁）が履物１の中底面からほぼ浮いた状態が得られる。
このとき、かかと保形部（ｉｉｉ）の後端（下端）は、履物１の中底面とは接触していないか、もしくは、例え接触していても、中底面のヘリ（後端縁）なので、中底面に押し跡や傷が付くことのない履物用保形具１０が実現できる。
【００２７】
このようなかかと保形部（ｉｉｉ）を得るためには、山折線９の長さと、履き口保形部（ｉｉ）における一対の山折線７，７の間隔とが、ほぼ一致するように、山折線９の両側には、切込み線９０，９０が設けられている。
本実施形態では、山折線９の折り曲げの容易化を図るとともに、履物の内側に傷が付くのを防止するために、切込み線９０，９０の各両端縁を、切除部５５として部分的に切除しているが、この切除部５５は必須のものではない。
【００２８】
なお、切除部５５は、図１に示すように、外周縁部が丸みを帯びるように切除する方が、傷付き防止の点から、より好ましい。
また、山折線９や山折線７９，７９については、これら折れ部分９，７９，７９の強度を保つためには、ミシン目状などのスリット（切込み）は入れない方がよい。
【産業上の利用可能性】
【００２９】
本発明の履物用保形具は、組み立てが容易なうえ、立体に折り上がるので、履物の形状に合わせながら、履物の履き口部などの型崩れを確実に防止でき、しかも、履物の中底面に跡や傷を付けたりして品質を低下させるおそれがないので、広い普及が期待される。
【符号の説明】
【００３０】
１０  ：履物用保形具
２  ：谷折線
３，４  ：山折線
５，５５  ：切除部
６  ：基点
７，８０，８１  ：山折線
７’  ：背部
８２  ：谷折線
７９，９  ：山折線
７９’  ：山折線７９，７９の外側部分
９０  ：切込み線
（ｉ）  ：前部保形部
（ｉｉ）  ：履き口保形部
（ｉｉｉ）  ：かかと保形部
１  ：履物
Ｈ  ：履き口
Ｋ  ：かかと内壁面
【図１】
0006376902.tif 000002
【図２】
0006376902.tif 000003
【図３】
0006376902.tif 000004
【図４】
0006376902.tif 000005